(57)【要約】【課題】ロック部材を操作しなくても容易に折り畳み状態にすることができる運搬用容器を提供する。【解決手段】運搬用容器１は、底壁２と、その上方に位置する口枠部材と、底壁２と口枠部材の間に設置される第一側壁５および第二側壁とを備え、第一側壁５および第二側壁が起立して組み立て状態となり、第一側壁５が倒伏し、第二側壁の上壁および下壁が折曲して倒伏して折り畳み状態となる。第一側壁５は、上下動可能なロック部材７を有し、その下端部から、底壁２の係合凹部２３に係合する係合片７３が下方に突出する。係合片７３の下端部に傾斜面８１が形成されており、組み立て状態から折り畳む際に、第一側壁５に内方向きの力ｆが掛かることで傾斜面８１が内壁面２３１に押圧され、係合片７３が上昇して係合凹部２３から外れ、第一側壁５が倒伏状態となる。【選択図】図８
2018199516.tif 000002
【特許請求の範囲】
【請求項１】
平面視矩形状をした底壁と、
前記底壁の上方に位置する平面視矩形環状をした口枠部材と、
前記底壁の上方に形成される収納空間を全周にわたって囲むように、前記底壁と前記口枠部材の間に設置される側周壁と、を備え、
前記側周壁は、前記底壁および前記口枠部材の対向する一対の第一辺部に沿って設けられる一対の第一側壁と、前記底壁および前記口枠部材の対向する一対の第二辺部に沿って設けられる一対の第二側壁とを有し、
前記第一側壁は、上端部が前記口枠部材の前記第一辺部に回動可能に連結されるとともに、下端部が前記底壁の前記第一辺部に対して着脱可能となり、
前記第二側壁は、上端部が前記口枠部材の前記第二辺部に回動可能に連結される上壁と、下端部が前記底壁の前記第二辺部に回動可能に連結される下壁と、を有し、前記上壁の下端部と前記下壁の上端部とが回動可能に連結されるものであり、
前記第一側壁の前記下端部が前記底壁の前記第一辺部に装着されて前記第一側壁が起立状態となるとともに、前記第二側壁の前記上壁および前記下壁が上下に伸びて前記第二側壁が起立状態となる組み立て状態と、前記第一側壁の前記下端部が前記底壁の前記第一辺部から離脱して前記第一側壁が前記底壁上に倒伏状態となるとともに、前記第二側壁の前記上壁および前記下壁が重なるように折曲して前記第二側壁が前記底壁上に倒伏状態となる折り畳み状態と、を選択することが可能な運搬用容器であって、
前記第一側壁は、上下動可能なロック部材を有し、
前記ロック部材は、下端部に前記底壁の前記第一辺部に形成される下方に凹む係合凹部に係合する下方に突出する係合片を有するとともに、前記第一側壁に形成される圧接部に圧接する付勢片を有し、
前記係合片は、前記組み立て状態において前記係合凹部の平面視における前記底壁中央側の内壁面の上端部に対向する下端部に、下方へ行くにしたがって平面視における前記底壁中央側と反対側に位置する傾斜面を有し、
前記折り畳み状態から前記組み立て状態とする際に、前記口枠部材が前記底壁から上方に離れるにしたがって前記係合片が対応する前記係合凹部に向けて前記底壁上を摺動し、前記係合片が前記係合凹部に到達すると前記付勢片が前記圧接部に圧接することにより生じる下向きの付勢力により前記ロック部材が下降して前記係合片が前記係合凹部に挿入されて係合することで前記第一側壁の前記下端部が前記底壁の前記第一辺部に装着されて前記第一側壁が起立状態となり、  
前記組み立て状態から前記折り畳み状態とする際に、前記第一側壁の外面に平面視における前記底壁中央向きの力が掛かることで前記傾斜面が前記係合凹部の前記底壁中央側の前記内壁面の前記上端部に押圧され、前記押圧により前記係合片が前記付勢力よりも大きな力により上昇し前記係合凹部から外れて前記第一側壁が倒伏状態となるように構成されていることを特徴とする運搬用容器。
【請求項２】
平面視矩形状をした底壁と、
前記底壁の上方に位置する平面視矩形環状をした口枠部材と、
前記底壁の上方に形成される収納空間を全周にわたって囲むように、前記底壁と前記口枠部材の間に設置される側周壁と、を備え、
前記側周壁は、前記底壁および前記口枠部材の対向する一対の第一辺部に沿って設けられる一対の第一側壁と、前記底壁および前記口枠部材の対向する一対の第二辺部に沿って設けられる一対の第二側壁とを有し、
前記第一側壁は、上端部が前記口枠部材の前記第一辺部に回動可能に連結されるとともに、下端部が前記底壁の前記第一辺部に対して着脱可能となり、
前記第二側壁は、上端部が前記口枠部材の前記第二辺部に回動可能に連結される上壁と、下端部が前記底壁の前記第二辺部に回動可能に連結される下壁と、を有し、前記上壁の下端部と前記下壁の上端部とが回動可能に連結されるものであり、
前記第一側壁の前記下端部が前記底壁の前記第一辺部に装着されて前記第一側壁が起立状態となるとともに、前記第二側壁の前記上壁および前記下壁が上下に伸びて前記第二側壁が起立状態となる組み立て状態と、前記第一側壁の前記下端部が前記底壁の前記第一辺部から離脱して前記第一側壁が前記底壁上に倒伏状態となるとともに、前記第二側壁の前記上壁および前記下壁が重なるように折曲して前記第二側壁が前記底壁上に倒伏状態となる折り畳み状態と、を選択することが可能な運搬用容器であって、
前記第一側壁は、上下動可能なロック部材を有し、
前記ロック部材は、下端部に前記底壁の前記第一辺部に形成される下方に凹む係合凹部に係合する下方に突出する係合片を有するとともに、前記第一側壁に形成される圧接部に圧接する付勢片を有し、
前記係合凹部は、前記組み立て状態において平面視における前記底壁中央側の内壁面の上端部に、上方へ行くにしたがって平面視における前記底壁中央側に位置する傾斜面を有し、
前記折り畳み状態から前記組み立て状態とする際に、前記口枠部材が前記底壁から上方に離れるにしたがって前記係合片が対応する前記係合凹部に向けて前記底壁上を摺動し、前記係合片が前記係合凹部に到達すると前記付勢片が前記圧接部に圧接することにより生じる下向きの付勢力により前記ロック部材が下降して前記係合片が前記係合凹部に挿入されて係合することで前記第一側壁の前記下端部が前記底壁の前記第一辺部に装着されて前記第一側壁が起立状態となり、  
前記組み立て状態から前記折り畳み状態とする際に、前記第一側壁の外面に平面視における前記底壁中央向きの力が掛かることで前記傾斜面が前記係合凹部の前記底壁中央側の前記内壁面の前記上端部に押圧され、前記押圧により前記係合片が前記付勢力よりも大きな力により上昇し前記係合凹部から外れて前記第一側壁が倒伏状態となるように構成されていることを特徴とする運搬用容器。
【請求項３】
前記傾斜面を内側傾斜面とし、
前記係合片は、前記組み立て状態において前記係合凹部の平面視における前記底壁中央側と反対側の前記内壁面に対向する前記下端部に、下方へ行くにしたがって平面視における前記底壁中央側に位置する外側傾斜面を有することを特徴とする請求項１または２記載の運搬用容器。
【請求項４】
平面視矩形状をした底壁と、
前記底壁の上方に位置する平面視矩形環状をした口枠部材と、
前記底壁の上方に形成される収納空間を全周にわたって囲むように、前記底壁と前記口枠部材の間に設置される側周壁と、を備え、
前記側周壁は、前記底壁および前記口枠部材の対向する一対の第一辺部に沿って設けられる一対の第一側壁と、前記底壁および前記口枠部材の対向する一対の第二辺部に沿って設けられる一対の第二側壁とを有し、
前記第一側壁は、上端部が前記口枠部材の前記第一辺部に回動可能に連結されるとともに、下端部が前記底壁の前記第一辺部に対して着脱可能となり、
前記第二側壁は、上端部が前記口枠部材の前記第二辺部に回動可能に連結される上壁と、下端部が前記底壁の前記第二辺部に回動可能に連結される下壁と、を有し、前記上壁の下端部と前記下壁の上端部とが回動可能に連結されるものであり、
前記第一側壁の前記下端部が前記底壁の前記第一辺部に装着されて前記第一側壁が起立状態となるとともに、前記第二側壁の前記上壁および前記下壁が上下に伸びて前記第二側壁が起立状態となる組み立て状態と、前記第一側壁の前記下端部が前記底壁の前記第一辺部から離脱して前記第一側壁が前記底壁上に倒伏状態となるとともに、前記第二側壁の前記上壁および前記下壁が重なるように折曲して前記第二側壁が前記底壁上に倒伏状態となる折り畳み状態と、を選択することが可能な運搬用容器であって、
前記第一側壁は、上下動可能なロック部材を有し、
前記ロック部材は、下端部に前記底壁の前記第一辺部に形成される下方に凹む係合凹部に係合する下方に突出する係合片を有するとともに、前記第一側壁に形成される圧接部に圧接する付勢片を有し、
前記係合片は、前記組み立て状態において前記係合凹部の平面視における前記底壁中央側の内壁面の上端部に対向する下端部の曲げ剛性が、その上側の係合片本体部の曲げ剛性よりも小さく形成され、
前記折り畳み状態から前記組み立て状態とする際に、前記口枠部材が前記底壁から上方に離れるにしたがって前記係合片が対応する前記係合凹部に向けて前記底壁上を摺動し、前記係合片が前記係合凹部に到達すると前記付勢片が前記圧接部に圧接することにより生じる下向きの付勢力により前記ロック部材が下降して前記係合片が前記係合凹部に挿入されて係合することで前記第一側壁の前記下端部が前記底壁の前記第一辺部に装着されて前記第一側壁が起立状態となり、  
前記組み立て状態から前記折り畳み状態とする際に、前記第一側壁の外面に平面視における前記底壁中央向きの力が掛かることで前記係合片の前記下端部が前記係合凹部の前記底壁中央側の前記内壁面の前記上端部に押圧されて下方へ行くにしたがって平面視における前記底壁中央側と反対側に位置するように変形して傾斜し、前記押圧により前記係合片の前記下端部が前記付勢力よりも大きな力により上昇し前記係合凹部から外れて前記第一側壁が倒伏状態となるように構成されていることを特徴とする運搬用容器。
【発明の詳細な説明】
【技術分野】
【０００１】
本発明は、折り畳み状態から組み立て状態に、組み立て状態から折り畳み状態にすることが可能な運搬用容器に関する。
【背景技術】
【０００２】
従来、組み立て状態と折り畳み状態とを選択することが可能な運搬用容器が知られている（例えば特許文献１参照）。特許文献１に記載されている運搬用容器は、底部と、底部の上方に位置する上部フレームと、底部と上部フレームの間に設置される側壁と、を備える矩形箱状をしたものである。
【０００３】
側壁は、底部および上部フレームの短辺に沿って設けられる一対のはね上げ側壁と、底部および上部フレームの長辺に沿って設けられる一対の分割側壁と、を有する。はね上げ側壁は、上端部が上部フレームの短辺に回動可能に連結されるとともに、下端部が底部の短辺に対して着脱可能となる。分割側壁は、上端部が上部フレームの長辺に回動可能に連結される上部側壁と、下端部が底部の長辺に回動可能に連結される下部側壁と、を有する。上部側壁の下端部と下部側壁の上端部とが回動可能に連結されるものである。
【０００４】
運搬用容器は、はね上げ側壁の下端部が底部の短辺に形成された下方に凹む係合凹部に係合されてはね上げ側壁が起立状態となるとともに、分割側壁の上部側壁および下部側壁が上下に伸びて分割側壁が起立状態となることにより、組み立て状態となる。また、運搬用容器は、はね上げ側壁の下端部が底部の短辺から離脱してはね上げ側壁が底部上に倒伏状態となるとともに、分割側壁の上部側壁および下部側壁が重なるように折曲して分割側壁が底部上に倒伏状態となることにより、折り畳み状態となる。
【０００５】
はね上げ側壁は、外面に形成される収納凹部に、上下動可能に係合部材を収納している。係合部材は、その下端部に、底部の短辺に形成される係合凹部に係合する、下方に突出する係合片を有する。また係合部材は、はね上げ側壁に形成された収納凹部の上面に圧接する弾性片を有する。
【先行技術文献】
【特許文献】
【０００６】
【特許文献１】特許第３６７７３４４号公報
【発明の概要】
【発明が解決しようとする課題】
【０００７】
上述した運搬用容器にあっては、組み立て状態から折り畳み状態とする際に、はね上げ側壁に対して係合部材を弾性片の弾性力に抗して上方に持ち上げて、係合片を係合凹部から外れさせることで、はね上げ側壁を底部上に倒伏させていき、折り畳み状態とするものである。
【０００８】
しかしながら、この時、運搬用容器を保持しつつ、係合部材を上方に持ち上げる作業が面倒で手間のかかるものであった。
【０００９】
本発明は上記従来の問題点に鑑みて発明したものであって、その目的とするところは、ロック部材を操作しなくても容易に折り畳み状態にすることができる運搬用容器を提供することにある。
【課題を解決するための手段】
【００１０】
請求項１に係る発明は、平面視矩形状をした底壁と、前記底壁の上方に位置する平面視矩形環状をした口枠部材と、前記底壁の上方に形成される収納空間を全周にわたって囲むように、前記底壁と前記口枠部材の間に設置される側周壁と、を備えた運搬用容器である。
【００１１】
前記側周壁は、前記底壁および前記口枠部材の対向する一対の第一辺部に沿って設けられる一対の第一側壁と、前記底壁および前記口枠部材の対向する一対の第二辺部に沿って設けられる一対の第二側壁とを有する。前記第一側壁は、上端部が前記口枠部材の前記第一辺部に回動可能に連結されるとともに、下端部が前記底壁の前記第一辺部に対して着脱可能となる。前記第二側壁は、上端部が前記口枠部材の前記第二辺部に回動可能に連結される上壁と、下端部が前記底壁の前記第二辺部に回動可能に連結される下壁と、を有する。前記上壁の下端部と前記下壁の上端部とが回動可能に連結されるものである。
【００１２】
前記第一側壁の前記下端部が前記底壁の前記第一辺部に装着されて前記第一側壁が起立状態となるとともに、前記第二側壁の前記上壁および前記下壁が上下に伸びて前記第二側壁が起立状態となる組み立て状態と、前記第一側壁の前記下端部が前記底壁の前記第一辺部から離脱して前記第一側壁が前記底壁上に倒伏状態となるとともに、前記第二側壁の前記上壁および前記下壁が重なるように折曲して前記第二側壁が前記底壁上に倒伏状態となる折り畳み状態と、を選択することが可能である。
【００１３】
前記第一側壁は、上下動可能なロック部材を有する。前記ロック部材は、下端部に前記底壁の前記第一辺部に形成される下方に凹む係合凹部に係合する下方に突出する係合片を有するとともに、前記第一側壁に形成される圧接部に圧接する付勢片を有する。前記係合片は、前記組み立て状態において前記係合凹部の平面視における前記底壁中央側の内壁面の上端部に対向する下端部に、下方へ行くにしたがって平面視における前記底壁中央側と反対側に位置する傾斜面を有する。
【００１４】
前記折り畳み状態から前記組み立て状態とする際に、前記口枠部材が前記底壁から上方に離れるにしたがって前記係合片が対応する前記係合凹部に向けて前記底壁上を摺動し、前記係合片が前記係合凹部に到達すると前記付勢片が前記圧接部に圧接することにより生じる下向きの付勢力により前記ロック部材が下降して前記係合片が前記係合凹部に挿入されて係合することで前記第一側壁の前記下端部が前記底壁の前記第一辺部に装着されて前記第一側壁が起立状態となる。
【００１５】
前記組み立て状態から前記折り畳み状態とする際に、前記第一側壁の外面に平面視における前記底壁中央向きの力が掛かることで前記傾斜面が前記係合凹部の前記底壁中央側の前記内壁面の前記上端部に押圧され、前記押圧により前記係合片が前記付勢力よりも大きな力により上昇し前記係合凹部から外れて前記第一側壁が倒伏状態となるように構成されていることを特徴とする。
【００１６】
請求項２に係る発明は、平面視矩形状をした底壁と、前記底壁の上方に位置する平面視矩形環状をした口枠部材と、前記底壁の上方に形成される収納空間を全周にわたって囲むように、前記底壁と前記口枠部材の間に設置される側周壁と、を備えた運搬用容器である。
【００１７】
前記側周壁は、前記底壁および前記口枠部材の対向する一対の第一辺部に沿って設けられる一対の第一側壁と、前記底壁および前記口枠部材の対向する一対の第二辺部に沿って設けられる一対の第二側壁とを有する。前記第一側壁は、上端部が前記口枠部材の前記第一辺部に回動可能に連結されるとともに、下端部が前記底壁の前記第一辺部に対して着脱可能となる。前記第二側壁は、上端部が前記口枠部材の前記第二辺部に回動可能に連結される上壁と、下端部が前記底壁の前記第二辺部に回動可能に連結される下壁と、を有する。前記上壁の下端部と前記下壁の上端部とが回動可能に連結されるものである。
【００１８】
前記第一側壁の前記下端部が前記底壁の前記第一辺部に装着されて前記第一側壁が起立状態となるとともに、前記第二側壁の前記上壁および前記下壁が上下に伸びて前記第二側壁が起立状態となる組み立て状態と、前記第一側壁の前記下端部が前記底壁の前記第一辺部から離脱して前記第一側壁が前記底壁上に倒伏状態となるとともに、前記第二側壁の前記上壁および前記下壁が重なるように折曲して前記第二側壁が前記底壁上に倒伏状態となる折り畳み状態と、を選択することが可能である。
【００１９】
前記第一側壁は、上下動可能なロック部材を有する。前記ロック部材は、下端部に前記底壁の前記第一辺部に形成される下方に凹む係合凹部に係合する下方に突出する係合片を有するとともに、前記第一側壁に形成される圧接部に圧接する付勢片を有する。前記係合凹部は、前記組み立て状態において平面視における前記底壁中央側の内壁面の上端部に、上方へ行くにしたがって平面視における前記底壁中央側に位置する傾斜面を有する。
【００２０】
前記折り畳み状態から前記組み立て状態とする際に、前記口枠部材が前記底壁から上方に離れるにしたがって前記係合片が対応する前記係合凹部に向けて前記底壁上を摺動し、前記係合片が前記係合凹部に到達すると前記付勢片が前記圧接部に圧接することにより生じる下向きの付勢力により前記ロック部材が下降して前記係合片が前記係合凹部に挿入されて係合することで前記第一側壁の前記下端部が前記底壁の前記第一辺部に装着されて前記第一側壁が起立状態となる。
【００２１】
前記組み立て状態から前記折り畳み状態とする際に、前記第一側壁の外面に平面視における前記底壁中央向きの力が掛かることで前記傾斜面が前記係合凹部の前記底壁中央側の前記内壁面の前記上端部に押圧され、前記押圧により前記係合片が前記付勢力よりも大きな力により上昇し前記係合凹部から外れて前記第一側壁が倒伏状態となるように構成されていることを特徴とする。
【００２２】
請求項３に係る発明は、請求項１または２に係る発明において、前記傾斜面を内側傾斜面とする。前記係合片は、前記組み立て状態において前記係合凹部の平面視における前記底壁中央側と反対側の前記内壁面に対向する前記下端部に、下方へ行くにしたがって平面視における前記底壁中央側に位置する外側傾斜面を有することを特徴とする。
【００２３】
請求項４に係る発明は、平面視矩形状をした底壁と、前記底壁の上方に位置する平面視矩形環状をした口枠部材と、前記底壁の上方に形成される収納空間を全周にわたって囲むように、前記底壁と前記口枠部材の間に設置される側周壁と、を備えた運搬用容器である。
【００２４】
前記側周壁は、前記底壁および前記口枠部材の対向する一対の第一辺部に沿って設けられる一対の第一側壁と、前記底壁および前記口枠部材の対向する一対の第二辺部に沿って設けられる一対の第二側壁とを有する。前記第一側壁は、上端部が前記口枠部材の前記第一辺部に回動可能に連結されるとともに、下端部が前記底壁の前記第一辺部に対して着脱可能となる。前記第二側壁は、上端部が前記口枠部材の前記第二辺部に回動可能に連結される上壁と、下端部が前記底壁の前記第二辺部に回動可能に連結される下壁と、を有する。前記上壁の下端部と前記下壁の上端部とが回動可能に連結されるものである。
【００２５】
前記第一側壁の前記下端部が前記底壁の前記第一辺部に装着されて前記第一側壁が起立状態となるとともに、前記第二側壁の前記上壁および前記下壁が上下に伸びて前記第二側壁が起立状態となる組み立て状態と、前記第一側壁の前記下端部が前記底壁の前記第一辺部から離脱して前記第一側壁が前記底壁上に倒伏状態となるとともに、前記第二側壁の前記上壁および前記下壁が重なるように折曲して前記第二側壁が前記底壁上に倒伏状態となる折り畳み状態と、を選択することが可能である。
【００２６】
前記第一側壁は、上下動可能なロック部材を有する。前記ロック部材は、下端部に前記底壁の前記第一辺部に形成される下方に凹む係合凹部に係合する下方に突出する係合片を有するとともに、前記第一側壁に形成される圧接部に圧接する付勢片を有する。前記係合片は、前記組み立て状態において前記係合凹部の平面視における前記底壁中央側の内壁面の上端部に対向する下端部の曲げ剛性が、その上側の係合片本体部の曲げ剛性よりも小さく形成される。
【００２７】
前記折り畳み状態から前記組み立て状態とする際に、前記口枠部材が前記底壁から上方に離れるにしたがって前記係合片が対応する前記係合凹部に向けて前記底壁上を摺動し、前記係合片が前記係合凹部に到達すると前記付勢片が前記圧接部に圧接することにより生じる下向きの付勢力により前記ロック部材が下降して前記係合片が前記係合凹部に挿入されて係合することで前記第一側壁の前記下端部が前記底壁の前記第一辺部に装着されて前記第一側壁が起立状態となる。
【００２８】
前記組み立て状態から前記折り畳み状態とする際に、前記第一側壁の外面に平面視における前記底壁中央向きの力が掛かることで前記係合片の前記下端部が前記係合凹部の前記底壁中央側の前記内壁面の前記上端部に押圧されて下方へ行くにしたがって平面視における前記底壁中央側と反対側に位置するように変形して傾斜し、前記押圧により前記係合片の前記下端部が前記付勢力よりも大きな力により上昇し前記係合凹部から外れて前記第一側壁が倒伏状態となるように構成されていることを特徴とする。
【発明の効果】
【００２９】
請求項１に係る発明にあっては、第一側壁の外面に底壁中央向きの力を掛けるだけで、傾斜面が係合凹部の内壁面の上端部に押圧されて係合片が上昇して係合凹部から外れ、第一側壁が倒伏状態となるため、ロック部材を操作しなくても容易に折り畳み状態にすることができる。
【００３０】
請求項２に係る発明にあっては、第一側壁の外面に底壁中央向きの力を掛けるだけで、係合片の下端部が係合凹部の内壁面の上端部の傾斜面に押圧されて係合片が上昇して係合凹部から外れ、第一側壁が倒伏状態となるため、ロック部材を操作しなくても容易に折り畳み状態にすることができる。
【００３１】
請求項３に係る発明にあっては、係合片が底壁を損傷しにくいとともに、係合片が底壁上をスムーズに摺動することができる。
【００３２】
請求項４に係る発明にあっては、第一側壁の外面に底壁中央向きの力を掛けるだけで、傾斜面が係合凹部の内壁面の上端部に押圧されて係合片が上昇して係合凹部から外れ、第一側壁が倒伏状態となるため、ロック部材を操作しなくても容易に折り畳み状態にすることができる。
【図面の簡単な説明】
【００３３】
【図１】図１は、本発明の第一実施形態に係る運搬用容器の斜め上方より見た斜視図である。
【図２】図２Ａは、同上の運搬用容器の底壁の斜め上方より見た斜視図である。図２Ｂは、同上の底壁の平面図である。
【図３】図３は、同上の運搬用容器の口枠部材の斜め下方より見た斜視図である。
【図４】図４Ａは、同上の運搬用容器の第一側壁の斜め上方より見た斜視図である。図４Ｂは、同上の第一側壁の斜め上方より見た一部斜視図である。図４Ｃは、同上の第一側壁の一部正面図である。
【図５】図５Ａは、同上の運搬用容器の第二側壁の正面図である。図５Ｂは、同上の第二側壁を上壁と下壁とに分離した状態の斜め下方より見た斜視図である。
【図６】図６Ａは、同上の運搬用容器のロック部材の斜め上方より見た斜視図である。図６Ｂは、水平断面で切断した同上のロック部材の斜め上方より見た斜視図である。図６Ｃは、同上のロック部材の側面図である。
【図７】図７は、同上の運搬用容器の組み立て状態における要部断面図である。
【図８】図８は、同上の運搬用容器の組み立て状態から折り畳み状態とする場合の要部断面図である。
【図９】図９は、本発明の第二実施形態に係る運搬用容器の組み立て状態における要部断面図である。
【図１０】図１０は、本発明の第三実施形態に係る運搬用容器の組み立て状態における要部断面図である。
【図１１】図１１は、同上の運搬用容器の組み立て状態から折り畳み状態とする場合の要部断面図である。
【発明を実施するための形態】
【００３４】
本発明は、運搬用容器に関し、さらに詳しくは、組み立て状態と折り畳み状態とを選択することが可能な運搬用容器に関する。
【００３５】
以下、本発明に係る運搬用容器の第一実施形態について、図１〜図８に基いて説明する。
【００３６】
図１に示すように、運搬用容器１は、底壁２と、底壁２の上方に位置する口枠部材３と、底壁２と口枠部材３の間に設置される側周壁４と、を備える。これら底壁２、口枠部材３および側周壁４は、合成樹脂により形成される。
【００３７】
以下、上下については、通常の使用状態における上下、すなわち、口枠部材３が位置する方を上とするとともに底壁２が位置する方を下として説明する。また、内外については、運搬用容器１の中心から離れる方を外方とするとともに中心に近づく方を内方とする。
【００３８】
底壁２は、図２Ａ、図２Ｂに示すように、平面視矩形状（特に長方形状）をしたもので、便宜上、平面視における長手方向に対向する一対の辺部（すなわち短辺部）を第一辺部２１とするとともに、平面視における短手方向に対向する一対の辺部（すなわち長辺部）を第二辺部２２とする。底壁２は、第一辺部２１に、後述するロック部材７の係合片７３が挿入される、下方に凹む係合凹部２３が形成される。係合凹部２３は、第一実施形態では、底壁２を上下に貫通する貫通孔により形成されている。
【００３９】
図１に示す運搬用容器１の組み立て状態において、底壁２の上方に離間して口枠部材３が設けられ、底壁２と口枠部材３との間に側周壁４が設けられる。
【００４０】
口枠部材３は、図３に示すように、平面視矩形環状（特に長方形状）をしたもので、平面視における外郭形状が底壁２の平面視における外郭形状と略同じに形成されるとともに、大きさも略同じに形成される。口枠部材３は、内部が上下に貫通しており、この貫通口が組み立て状態の運搬用容器１への収納物の出し入れ口となる。口枠部材３は、便宜上、底壁２と同様に、平面視における長手方向に対向する一対の辺部（すなわち短辺部）を第一辺部３１とするとともに、平面視における短手方向に対向する一対の辺部（すなわち長辺部）を第二辺部３２とする。
【００４１】
側周壁４は、底壁２の上方に形成される収納空間１０を全周にわたって囲む。側周壁４は、底壁２および口枠部材３の第一辺部２１、３１に沿って設けられる一対の第一側壁５と、底壁２および口枠部材３の第二辺部２２、３２に沿って設けられる一対の第二側壁６とを有する。
【００４２】
第一側壁５は、図４Ａに示すように、横方向（水平方向）の長さが、底壁２および口枠部材３の第一辺部２１、３１の長さと略同じに形成される。また、第一実施形態では、第一側壁５は、上下方向の長さが、横方向の長さよりも短い正面視長方形状に形成されている。第一側壁５の外面５０には、複数本の縦リブ５１と複数本の横リブ５２を形成しており、第一側壁５の曲げ剛性および強度を向上させている。
【００４３】
第一側壁５の上端部は、口枠部材３の第一辺部３１に回動可能に連結される。第一実施形態では、第一側壁５の上端部に設けられる軸部５３が、口枠部材３の第一辺部３１に設けられる軸受部３３（図３参照）に軸支されて、第一側壁５が口枠部材３に対して回動可能となっている。なお、第一側壁５の口枠部材３への連結はこのような形態に限定されず、第一側壁５が口枠部材３に対して回動可能となればよい。
【００４４】
また、第一側壁５の下端部は、底壁２の第一辺部２１に対して着脱可能となるもので、この点については後述する。
【００４５】
第二側壁６は、図５Ａ、図５Ｂに示すように、横方向の長さが、底壁２および口枠部材３の第二辺部２２、３２の長さと略同じに形成される。また、第一実施形態では、第二側壁６は、上下方向の長さが、横方向の長さよりも短い正面視長方形状に形成されている。第二側壁６は、上壁６１と下壁６２とに上下に二分割されている。
【００４６】
上壁６１は、上端部が口枠部材３の第二辺部３２に回動可能に連結される。第一実施形態では、上壁６１の上端部に設けられる軸部６３が、口枠部材３の第二辺部３２に設けられる軸受部３４（図３参照）に軸支されて、上壁６１が口枠部材３に対して回動可能となっている。なお、上壁６１の口枠部材３への連結はこのような形態に限定されず、上壁６１が口枠部材３に対して回動可能となればよい。
【００４７】
下壁６２は、下端部が底壁２の第二辺部２２に回動可能に連結される。第一実施形態では、下壁６２の下端部に設けられる軸部６４が、底壁２の第二辺部２２に設けられる軸受部２４（図２Ａ参照）に軸支されて、下壁６２が底壁２に対して回動可能となっている。なお、下壁６２の底壁２への連結はこのような形態に限定されず、下壁６２が底壁２に対して回動可能となればよい。
【００４８】
また、上壁６１の下端部と下壁６２の上端部とは、回動可能に連結されるものである。第一実施形態では、図５Ｂに示すように、上壁６１の下端部に設けられる軸部６５が、下壁６２の上端部に設けられる軸受部６６に軸支されるとともに、下壁６２の上端部に設けられる軸部６７が、上壁６１の下端部に設けられる軸受部６８に軸支されて、上壁６１と下壁６２とが互いに回動可能となっている。なお、上壁６１と下壁６２の連結はこのような形態に限定されず、上壁６１と下壁６２とが互いに回動可能となればよい。
【００４９】
以上、運搬用容器１の概略について説明したが、この運搬用容器１は、組み立て状態と折り畳み状態とを選択することが可能である。
【００５０】
組み立て状態とは、第一側壁５の下端部が底壁２の第一辺部２１に装着されて第一側壁５が起立状態となるとともに、第二側壁６の上壁６１および下壁６２が上下に伸びて第二側壁６が起立状態となり、内部に収納空間１０が形成される状態である。
【００５１】
折り畳み状態とは、第一側壁５の下端部が底壁２の第一辺部２１から離脱して第一側壁５が底壁２上に倒伏状態となるとともに、第二側壁６の上壁６１および下壁６２が重なるように折曲して第二側壁６が底壁２上に倒伏状態となり、内部に収納空間１０が形成されない状態である。
【００５２】
第一側壁５の下端部は、底壁２の第一辺部２１に対して着脱可能となるもので、組み立て状態においては底壁２の第一辺部２１に装着されて、第一側壁５が起立状態となり、この起立状態を維持するようにロックされる。また、折り畳み状態においては、第一側壁５の下端部は、底壁２の第一辺部２１から離脱して、第一側壁５が底壁２上に倒伏することが可能となる。このようにするために、第一側壁５は、図４Ａに示すように、上下動可能なロック部材７を有する。なお、図４Ａにおいては、便宜上、第一実施形態において一枚の第一側壁５に設けられるべき二個のロック部材７のうち一方（右側）のロック部材７のみ設け、他方（左側）のロック部材７を設けていない状態を示している。
【００５３】
第一側壁５の下部の中央を挟んだ両側には、縦リブ５１と横リブ５２とで囲まれるロック部材収納凹部５４が形成されている。
【００５４】
第一実施形態では、ロック部材７は、図６Ａ、図４Ａに示すように、横長の矩形状をしたロック部材本体７１を有する。図４Ｂに示すように、ロック部材収納凹部５４の奥面には、先端に鉤状部を有する上下に伸びる抜け止めリブ５５が形成されている。一方、図６Ｂに示すように、ロック部材本体７１には、ロック部材収納凹部５４の奥面に対向する面に、抜け止めリブ５５の鉤状部と係合する鉤状部を先端に有する上下に伸びる係合リブ７２が形成されている。この係合リブ７２が抜け止めリブ５５に係合することで、ロック部材７が、上下動可能でかつ第一側壁５から抜け止めされた状態でロック部材収納凹部５４に収納される。
【００５５】
図６Ａ〜図６Ｃに示すように、ロック部材７は、ロック部材本体７１の下端部の横方向の中央部から下方に突出する係合片７３を有している。係合片７３は、底壁２の第一辺部２１に形成される係合凹部２３（図２Ｂ参照）に係合する。図４Ｂに示すように、第一側壁５は、ロック部材収納凹部５４の下側に位置する下リブ５６を有しており、下リブ５６によりロック部材７の下方への移動が規制される。また、下リブ５６の一部に挿通口５７が形成されており、図４Ｃに示すように、挿通口５７を挿通して係合片７３が下方へ突出可能である。
【００５６】
また、ロック部材７は、第一側壁５に形成される圧接部５８に圧接する付勢片７４を有するもので、第一実施形態では、ロック部材本体７１の上端部から上方に付勢片７４が突出している。図６Ａに示すように、付勢片７４の幅Ｗ１は、ロック部材本体７１の幅Ｗ０よりも狭く、且つ、付勢片７４の肉厚Ｔは付勢片７４の幅Ｗ１やロック部材本体７１の一般肉厚よりも薄い。図４Ｂに示すように、第一側壁５に形成されるロック部材収納凹部５４の上壁面が、ロック部材７の付勢片７４が圧接する圧接部５８となっている。付勢片７４が圧接部５８に圧接することにより、ロック部材７に下向きの付勢力が生じ、ロック部材７に外力が掛からない状態で、係合片７３が下方に突出する。
【００５７】
図６Ｃに示すように、係合片７３は、下端部に傾斜面８１を有する。傾斜面８１は、図７に示すように、係合片７３の下端部のうち、組み立て状態において係合凹部２３の平面視における底壁２中央側の内壁面２３１の上端部に対向する面に形成される。傾斜面８１は、下方へ行くにしたがって平面視における底壁２中央側と反対側に位置するように傾斜するもので、以下、この傾斜面８１を便宜上、内側傾斜面８１とする。内側傾斜面８１は、第一実施形態では、凸となる曲面を有するアール形状をしている。
【００５８】
さらに第一実施形態では、係合片７３は、下端部に外側傾斜面８２を有する。外側傾斜面８２は、係合片７３の下端部のうち、組み立て状態において係合凹部２３の平面視における底壁２中央側と反対側の内壁面２３２に対向する面に形成される。外側傾斜面８２は、下方へ行くにしたがって平面視における底壁２中央側に位置するように傾斜する。外側傾斜面８２は、第一実施形態では、凸となる曲面を有するアール形状をしている。さらに詳しくは、内側傾斜面８１のアール形状をなす曲率半径は、外側傾斜面８２のアール形状をなす曲率半径よりも小さく形成される。
【００５９】
以上のような運搬用容器１の折り畳みと組み立てについて説明する。
【００６０】
運搬用容器１を折り畳み状態から組み立て状態とするにあたり、作業者は、口枠部材３を掴んで持ち上げて、口枠部材３を底壁２に対して上方に引き離す。口枠部材３が底壁２から離れるにしたがって、底壁２上に倒伏していた第一側壁５の上端部が口枠部材３とともに上方に移動して、第一側壁５の下端部に位置する係合片７３が、係合凹部２３に向けて底壁２上を摺動する。このとき、係合片７３の下端部に外側傾斜面８２が設けられていることにより、外側傾斜面８２が設けられずエッジが形成されているとした場合と比べて、底壁２を損傷しにくいとともに、エッジが底壁２に引っ掛かったりしないためスムーズに摺動することができる。
【００６１】
また、底壁２上に倒伏していた第二側壁６は、上壁６１および下壁６２が折り畳まれた状態から開いて上下に伸びていく。
【００６２】
第一側壁５の係合片７３が係合凹部２３に到達すると、付勢片７４により生じる下向きの付勢力によりロック部材７が下降して、図７に示すように係合片７３が係合凹部２３に挿入されて係合する。このとき、係合凹部２３の上端からその下方に位置する係合片７３の下端までの上下長さである掛かり代１１が、底壁２の厚みに対して２分の１以下、好ましくは、３分の１以下の割合となるように構成されている。このとき、係合片７３の下端は、係合凹部２３内に納まっており（すなわち底壁２の厚み内に納まっており）、底壁２の下面よりも下方に突出していない。
【００６３】
第一側壁５の下端部が底壁２の第一辺部２１に装着されることにより、第一側壁５が起立状態となる。また、第二側壁６は、上壁６１および下壁６２が上下に直線状に伸びて起立状態となり、運搬用容器１は組み立て状態となる。作業者は、口枠部材３を掴んで持ち上げるだけで、自動的に第一側壁５の係合片７３が底壁２の係合凹部２３に挿入されて第一側壁５および第二側壁６が起立状態となり、運搬用容器１を組み立て状態とすることができる。
【００６４】
次に、運搬用容器１を組み立て状態から折り畳み状態とする場合について説明する。作業者は、第一側壁５の外面５０を叩いたりして、第一側壁５の外面５０に平面視における底壁２中央向き（内方向き）の力ｆを掛けると、第一側壁５は内方に移動し、係合片７３の内側傾斜面８１が係合凹部２３の底壁２中央側の内壁面２３１の上端部に押圧される。この押圧により、係合片７３の内側傾斜面８１に上方向きの力が掛かり、図８に示すように、係合片７３は、付勢片７４による付勢力よりも大きな力により上昇し、係合凹部２３から上方に外れる。この後は、係合片７３が底壁２上をこの係合凹部２３から離れる方に摺動し、第一側壁５が底壁２上に倒伏される。
【００６５】
また、第二側壁６は、上壁６１が下壁６２の上に重なるように折曲して、底壁２上に倒伏され、運搬用容器１は折り畳み状態となる。
【００６６】
上述したように第一実施形態の運搬用容器１にあっては、組み立て状態から折り畳み状態とする場合、第一側壁５の外面５０を叩いたりして第一側壁５の外面５０に内方向きの力ｆを掛けるだけで、第一側壁５を倒伏させることができ、ロック部材７を操作したりする必要がなく、運搬用容器１を容易に折り畳み状態にすることができるものである。
【００６７】
また、運搬用容器１は、組み立て状態において、意に反して第一側壁５の外面５０に内方向きの力ｆが掛かって係合片７３が係合凹部２３から外れ、第一側壁５の下端部が内方にずれてしまうことがある。このような場合に、運搬用容器１の上に別の運搬用容器１が積み上げられていたり、運搬用容器１の収納空間１０に収納物が収納されていたりすると、作業者は第一側壁５を外方に向けて動かしにくい。そこで、第一側壁５の外面５０に、作業者が手を掛けて第一側壁５に外方向きの力を掛けることができる手掛部５９１が設けられている。
【００６８】
第一実施形態では、第一側壁５の外面５０の縦リブ５１および横リブ５２の先端に、横方向を長手方向とし、横リブ５２から上方に突出する手掛片５９が設けられており、この手掛片５９の上部が手掛部５９１となっている。手掛部５９１は、左右の縦リブ５１間の部分が下方に凸となる円弧状に形成されており、手を掛けやすくなっている。また、手掛片５９が設けられる横リブ５２に貫通孔（不図示）が設けられることにより、手掛片５９と左右の縦リブ５１と横リブ５２とで囲まれる空間に水が溜まるのを防止することができる。
【００６９】
次に、第二実施形態に係る運搬用容器１について、図９に基いて説明する。第二実施形態の運搬用容器１は、係合片７３および係合凹部２３が第一実施形態と異なるもので、他の部分は第一実施形態と同じであるため説明を省略し、主に係合片７３および係合凹部２３について説明する。
【００７０】
係合片７３は、第一実施形態では、下端部７３１に内側傾斜面８１および外側傾斜面８２を有していたが、第二実施形態では係合片７３は下端部７３１に内側傾斜面８１および外側傾斜面８２を有しておらず、下端部７３１の側面は略垂直面となっている。
【００７１】
係合凹部２３は、第一実施形態では、底壁２中央側の内壁面２３１は傾斜しておらず略垂直面となっていた。これに対して第二実施形態では、係合凹部２３は、内壁面２３１の上端部に、上方へ行くにしたがって底壁２中央側に位置するように傾斜する傾斜面２３３を有する。
【００７２】
この運搬用容器１を折り畳み状態から組み立て状態とするには、第一実施形態と同様に、作業者は、口枠部材３を掴んで持ち上げるだけでよい。
【００７３】
次に、運搬用容器１を組み立て状態から折り畳み状態とするには、第一実施形態と同様に、作業者は、第一側壁５の外面５０を叩いたりして、第一側壁５の外面５０に内方向きの力ｆを掛ける。力ｆが掛かると、第一側壁５は内方に移動し、係合片７３の下端部が係合凹部２３の底壁２中央側の内壁面２３１の傾斜面２３３に押圧される。この押圧により、係合片７３の下端部７３１は、傾斜面２３３より付勢片７４による付勢力よりも大きな力を受けて上昇し、係合凹部２３から上方に外れる。この後は、係合片７３が底壁２上をこの係合凹部２３から離れる方に摺動し、第一側壁５が底壁２上に倒伏される。
【００７４】
第二実施形態の運搬用容器１にあっても、組み立て状態から折り畳み状態とする場合、第一側壁５の外面５０を叩いたりして第一側壁５の外面５０に内方向きの力ｆを掛けるだけで、第一側壁５を倒伏させることができ、ロック部材７を操作したりする必要がなく、運搬用容器１を容易に折り畳み状態にすることができるものである。
【００７５】
次に、第三実施形態に係る運搬用容器１について、図１０、図１１に基いて説明する。第三実施形態の運搬用容器１は、係合片７３が第一実施形態と異なるもので、他の部分は第一実施形態と同じであるため説明を省略し、主に係合片７３について説明する。
【００７６】
係合片７３は、組み立て状態において係合凹部２３の平面視における底壁２中央側の内壁面２３１の上端部に対向する下端部７３１の曲げ剛性が、その上側の係合片本体部７３０の曲げ剛性よりも小さく形成される。第三実施形態では、図１０に示すように、下端部７３１は、係合片本体部７３０と同じ材質で係合片本体部７３０と一体に形成されており、下端部７３１の厚みを係合片本体部７３０の厚みよりも薄くすることにより、下端部７３１の曲げ剛性を係合片本体部７３０の曲げ剛性よりも小さく形成している。
【００７７】
なお、下端部７３１の曲げ剛性を係合片本体部７３０の曲げ剛性よりも小さく形成するには、下端部７３１の厚みを係合片本体部７３０の厚みよりも薄くすることに限定されない。例えば、下端部７３１の厚みと係合片本体部７３０の厚みを同じに形成し、係合片本体部７３０を構成する材料のヤング率よりも小さいヤング率の材料で形成することにより、下端部７３１の曲げ剛性を係合片本体部７３０の曲げ剛性よりも小さく形成してもよい。また、例えば、下端部７３１と係合片本体部７３０の厚みを同一とし、係合片本体部７３０にリブを形成することで、相対的に下端部７３１の曲げ剛性を係合片本体部７３０の曲げ剛性よりも小さく形成する構成としてもよい。
【００７８】
第三実施形態の運搬用容器１を折り畳み状態から組み立て状態とするには、第一実施形態と同様に、作業者は、口枠部材３を掴んで持ち上げるだけでよい。
【００７９】
次に、運搬用容器１を組み立て状態から折り畳み状態とするには、第一実施形態と同様に、作業者は、第一側壁５の外面５０を叩いたりして、第一側壁５の外面５０に内方向きの力ｆを掛ける。力ｆが掛かると、第一側壁５は内方に移動し、係合片７３の下端部７３１が係合凹部２３の底壁２中央側の内壁面２３１の上端部に押圧される。この押圧により、係合片７３の下端部７３１は、図１１に示すように、下方へ行くにしたがって平面視における底壁２中央側と反対側に位置するように変形して傾斜し、この傾斜した面に上方向きの力が掛かる。そして、係合片７３は、付勢片７４による付勢力よりも大きな力により上昇し、係合凹部２３から上方に外れる。
【００８０】
この後は、係合片７３が底壁２上をこの係合凹部２３から離れる方に摺動し、第一側壁５が底壁２上に倒伏される。
【００８１】
第三実施形態の運搬用容器１にあっても、組み立て状態から折り畳み状態とする場合、第一側壁５の外面５０を叩いたりして第一側壁５の外面５０に内方向きの力ｆを掛けるだけで、第一側壁５を倒伏させることができ、ロック部材７を操作したりする必要がなく、運搬用容器１を容易に折り畳み状態にすることができるものである。
【００８２】
なお、上記実施形態では、底壁２、口枠部材３および側周壁４は合成樹脂により形成されていたが、合成樹脂と他の部材との複合材や、合成樹脂を含まない材料により形成されてもよく、材質は限定されない。
【００８３】
また、上記実施形態では、底壁２は平面視長方形状をしているが、正方形状をしてもよい。
【００８４】
また、上記実施形態では、口枠部材３は外郭が平面視長方形状をしているが、外郭が正方形状をしてもよい。
【００８５】
また、上記実施形態では、底壁２および口枠部材３は、短辺部を第一辺部２１、３１とするとともに長辺部を第二辺部２２、３２としているが、短辺部を第二辺部とするとともに長辺部を第一辺部としてもよい。
【００８６】
また、上記実施形態では、第一側壁５は、正面視長方形状をしているが、正面視正方形状をしてもよい。
【００８７】
また、上記実施形態では、第二側壁６は、正面視長方形状をしているが、正面視正方形状をしてもよい。
【００８８】
また、上記実施形態では、作業者が手を掛けて第一側壁５に外方向きの力を掛けるための手掛部５９１は、縦リブ５１および横リブ５２の先端に設けられる手掛片５９の上部により構成されている。作業者は手掛片５９の上部より手を挿入し、手掛片５９の外面５０と対向する面を押すことにより、外方向きの力を掛けることができるが、手掛片５９の上部ではなく側部や下部より手を挿入できるようにして手掛部５９１を構成してもよいし、手掛片５９に孔を形成してこの孔より手や指を挿入できるようにして手掛部５９１を構成してもよい。また、縦リブ５１や横リブ５２に孔を形成して、この孔より手や指を挿入できるようにして手掛部５９１を構成してもよい。
【００８９】
また、上記実施形態では、係合凹部２３は、底壁２を上下に貫通する貫通孔により形成されているが、底壁２の上面に形成される窪みにより形成されてもよい。
【００９０】
また、上記実施形態では、第一側壁５の外面５０に内方向きの力ｆが掛かって、第一側壁５が上端部の軸部５３を中心に回動し、係合片７３の下端部７３１が係合凹部２３の底壁２中央側の内壁面２３１の上端部に押圧されたときに、軸部５３がこの軸部５３を受ける口枠部材３の軸受部３３内をクリアランス範囲内で移動することにより第一側壁５全体が上昇し、下端部７３１が係合凹部２３から上方に外れる場合がある。
【００９１】
また、上記実施形態では、作業者が第一側壁５の外面５０の上下方向中間部を内方向きに力ｆで叩いた場合、叩いた部分が底壁２中央側に凹み、第一側壁５の上端部と下端部が先端側へ行くほど底壁２中央側と反対側に傾斜する。第一側壁５が傾斜するのに伴ってロック部材７とその下端部も傾斜し、この下端部の傾斜した側面が係合凹部２３の底壁２中央側の内壁面２３１の上端部に押圧されると、係合片７３は上昇して係合凹部２３から上方に外れる場合がある。
【００９２】
また、上記実施形態では、第一側壁５の外面５０に内方向きの力ｆが掛かって、第一側壁５が上端部の軸部５３を中心に回動し、係合片７３の下端部７３１が係合凹部２３の底壁２中央側の内壁面２３１の上端部に押圧されたときに、第一側壁５の上端部を中心とした回動により、第一側壁５に設けられたロック部材７とその下端部が傾斜し、この下端部の傾斜した側面が係合凹部２３の底壁２中央側の内壁面２３１の上端部に押圧されると、係合片７３は上昇して係合凹部２３から上方に外れる場合がある。
【００９３】
また、第一実施形態では、内側傾斜面８１は、アール形状をしているが、平坦面により構成されてもよい。同様に、外側傾斜面８２は、第一実施形態ではアール形状をしているが、平坦面により構成されてもよい。
【符号の説明】
【００９４】
１      運搬用容器
２      底壁
２１    第一辺部
２２    第二辺部
２３    係合凹部
２３１  内壁面
２３２  内壁面
３      口枠部材
３１    第一辺部
３２    第二辺部
４      側周壁
５      第一側壁
５４    ロック部材収納凹部
５８    圧接部
６      第二側壁
６１    上壁
６２    下壁
７      ロック部材
７３    係合片
７３０  係合片本体部
７３１  下端部
７４    付勢片
８１    傾斜面（内側傾斜面）
８２    外側傾斜面
【図１】
2018199516.tif 000003
【図２】
2018199516.tif 000004
【図３】
2018199516.tif 000005
【図４】
2018199516.tif 000006
【図５】
2018199516.tif 000007
【図６】
2018199516.tif 000008
【図７】
2018199516.tif 000009
【図８】
2018199516.tif 000010
【図９】
2018199516.tif 000011
【図１０】
2018199516.tif 000012
【図１１】
2018199516.tif 000013